(57)【特許請求の範囲】
【請求項１】
半波長電圧を有し、第１の固定周波数および少なくとも前記半波長電圧よりも数倍大きい第１の振幅を有する第１の無線周波数クロック信号により駆動される、第１の位相変調器により光波を変調するステップと、
第２の固定周波数および少なくとも前記半波長電圧よりも数倍大きい第２の振幅を有する第２の無線周波数クロック信号により駆動される、カスケード接続された第２の位相変調器により前記光波を変調するステップと、
カスケード接続された第３の位相変調器により前記光波を変調するステップと、
を有し、
カスケード接続された前記第３の位相変調器は、前記第１の固定周波数または前記第２の固定周波数のうちの一つの２倍と実質的に等しい固定周波数を有する第３の無線周波数信号により駆動される光学サブキャリア信号生成方法。
【請求項２】
前記第１の固定周波数は、前記第２の固定周波数と実質的に等しい請求項１に記載の方法。
【請求項３】
前記第３の位相変調器は、前記第１の位相変調器および前記第２の位相変調器のうち一つまたは両方の前または後にカスケード接続される請求項１または請求項２に記載の方法。
【請求項４】
前記第１の位相変調器および前記第２の位相変調器は、同調して駆動される請求項１〜３のいずれか一項に記載の方法。
【請求項５】
カスケード接続された第３の位相変調器により前記光波を変調するステップをさらに含み、
カスケード接続された前記第３の位相変調器は、前記第１の位相変調器またはカスケード接続された前記第２の位相変調器とは同調せずに駆動される請求項４に記載の方法。
【請求項６】
前記第１の固定周波数および前記第２の固定周波数はそれぞれ約２５ＧＨｚであり、前記第１の振幅および前記第２の振幅はそれぞれ約１７Ｖであり、前記半波長電圧は約４Ｖである請求項１〜５のいずれか一項に記載の方法。
【請求項７】
半波長電圧を有し、第１の固定周波数および少なくとも前記半波長電圧よりも数倍大きい第１の振幅を有する第１の無線周波数クロック信号により駆動される第１の位相変調器と、
第２の固定周波数および少なくとも前記半波長電圧よりも数倍大きい第２の振幅を有する第２の無線周波数クロック信号により駆動される、カスケード接続された第２の位相変調器と、
カスケード接続された第３の位相変調器と、
を有し、
カスケード接続された前記第３の位相変調器は、前記第１の固定周波数または前記第２の固定周波数のうちの一つの２倍と実施的に等しい固定周波数を有する第３の無線周波数信号により駆動されるように構成される光学サブキャリア信号生成システム。
【請求項８】
前記第１の固定周波数は、前記第２の固定周波数と実質的に等しい請求項７に記載のシステム。
【請求項９】
前記第３の位相変調器は、前記第１の位相変調器および前記第２の位相変調器のうち一つまたは両方の前または後にカスケード接続される請求項７または請求項８に記載のシステム。
【請求項１０】
前記第１の位相変調器およびカスケード接続された前記第２の位相変調器は、同調して駆動される請求項７〜９のいずれか一項に記載のシステム。
【請求項１１】
カスケード接続された第３の位相変調器により前記光波を変調するステップをさらに含み、
カスケード接続された前記第３の位相変調器は、前記第１の位相変調器またはカスケード接続された前記第２の位相変調器とは同調せずに駆動される請求項１０に記載のシステム。
【請求項１２】
前記第１の固定周波数および前記第２の固定周波数はそれぞれ約２５ＧＨｚであり、前記第１の振幅および前記第２の振幅はそれぞれ約１７Ｖであり、前記半波長電圧は約４Ｖである請求項７〜１１のいずれか一項に記載のシステム。
【請求項１３】
光学サブキャリア信号を生成するためのコンピュータープログラムであって、
半波長電圧を有し、第１の固定周波数および少なくとも前記半波長電圧よりも数倍大きい第１の振幅を有する第１の無線周波数クロック信号により駆動される、第１の位相変調器により光波を変調するステップと、
第２の固定周波数および少なくとも前記半波長電圧よりも数倍大きい第２の振幅を有する第２の無線周波数クロック信号により駆動される、カスケード接続された第２の位相変調器により前記光波を変調するステップと、
カスケード接続された第３の位相変調器に前記光波を変調させるステップと、
をコンピューターに実行させ、
カスケード接続された前記第３の位相変調器は、前記第１の固定周波数または前記第２の固定周波数のうちの一つの２倍と実施的に等しい固定周波数を有する第３の無線周波数信号により駆動されるコンピュータープログラム。
【請求項１４】
前記第１の固定周波数は、前記第２の固定周波数と実質的に等しい請求項１３に記載のコンピュータープログラム。
【請求項１５】
前記第３の位相変調器は、前記第１の位相変調器および前記第２の位相変調器のうち一つまたは両方の前または後にカスケード接続される請求項１３または請求項１４に記載のコンピュータープログラム。
【請求項１６】
前記第１の位相変調器およびカスケード接続された前記第２の位相変調器は、同調して駆動される請求項１３〜１５のいずれか一項に記載のコンピュータープログラム。
【請求項１７】
カスケード接続された第３の位相変調器により前記光波を変調するステップをさらに含み、
カスケード接続された前記第３の位相変調器は、前記第１の位相変調器またはカスケード接続された前記第２の位相変調器とは同調せずに駆動される請求項１６に記載のコンピュータープログラム。
【請求項１８】
前記第１の固定周波数および前記第２の固定周波数はそれぞれ約２５ＧＨｚであり、前記第１の振幅および前記第２の振幅はそれぞれ約１７Ｖであり、前記半波長電圧は約４Ｖである請求項１３〜１７のいずれか一項に記載のコンピュータープログラム。
【発明の詳細な説明】
【技術分野】
【０００１】
本発明は、一般に、光通信アーキテクチャに関し、特に、サブキャリアを生成するための光学的方法およびシステムに関する。
【背景技術】
【０００２】
将来の光ネットワークの帯域増加に適合するため、チャネルあたり１００Ｇｂ／ｓよりも高い速度が要求される。そのため、Ｙ．Ｍａ、Ｑ．Ｙａｎｇ、Ｙ．Ｔａｎｇ、Ｓ．ＣｈｅｎおよびＷ．Ｓｈｉｅｈによって、Ｐｒｏｃ．ＯＦＣ，ｐａｐｅｒ  ＰＤＰＣ１  （２００９）に示された、「１−Ｔｂ／ｓ  ｐｅｒ  ｃｈａｎｎｅｌ  ｃｏｈｅｒｅｎｔ  ｏｐｔｉｃａｌ  ＯＦＤＭ  ｔｒａｎｓｍｉｓｓｉｏｎ  ｗｉｔｈ  ｓｕｂｗａｖｅｌｅｎｇｔｈ  ｂａｎｄｗｉｄｔｈ  ａｃｃｅｓｓ」、Ａ．Ｓａｎｏ、Ｅ．Ｙａｍａｄａ、Ｈ．Ｍａｓｕｄａ、Ｅ．Ｙａｍａｚａｋｉ、Ｔ．ＫｏｂａｙａｓｈｉおよびＥ．Ｙｏｓｈｉｄａによって、Ｊ．Ｌｉｇｈｔｗ．ＴｅｃｈｎｏＬ．ｖｏｌ．２７  ｎｏ．１６，ｐｐ．３７０５−３７１３，２００９に示された、「Ｎｏ−Ｇｕａｒｄ−Ｉｎｔｅｒｖａｌ  Ｃｏｈｅｒｅｎｔ  Ｏｐｔｉｃａｌ  ＯＦＤＭ  ｆｏｒ  １００−Ｇｂ／ｓ  Ｌｏｎｇ−Ｈａｕｌ  ＷＤＭ  Ｔｒａｎｓｍｉｓｓｉｏｎ」、Ｒ．ＤｉｓｃｈｌｅｒおよびＦ．Ｂｕｃｈａｌｉによって、Ｐｒｏｃ．ＯＦＣ，ｐａｐｅｒ  ＰＤＰＣ２  （２００９）に示された、「Ｔｒａｎｓｍｉｓｓｉｏｎ  ｏｆ  １．２Ｔｂ／ｓ  ｃｏｎｔｉｎｕｏｕｓ  ｗａｖｅｂａｎｄ  ＰＤＭ−ＯＦＤＭ−ＦＤＭ  ｓｉｇｎａｌ  ｗｉｔｈ  ｓｐｅｃｔｒａｌ  ｅｆｆｉｃｉｅｎｃｙ  ｏｆ  ３．３ｂｉｔ／Ｓ／Ｈｚ  ｏｖｅｒ  ４００ｋｍ  ｏｆ  ＳＳＭＦ」、Ｓ．Ｃｈａｎｄｒａｓｅｋｈａｒ等によって、Ｐｒｏｃ．ＥＣＯＣ，ｐａｐｅｒ  ＰＤ  ２．６  （２００９）に示された、「Ｔｒａｎｓｍｉｓｓｉｏｎ  ｏｆ  ａ  １．２−Ｔｂ／ｓ  ２４−Ｃａｒｒｉｅｒ  ｎｏ−ｇｕａｒｄ−ｉｎｔｅｒｖａｌ  ｃｏｈｅｒｅｎｔ  ＯＦＤＭ  ｓｕｐｅｒｃｈａｎｎｅｌ  ｏｖｅｒ  ７２００−ｋｍ  ｏｆ  ｕｌｔｒａ−ｌａｒｇｅ−ａｒｅａ  ｆｉｂｅｒ」、Ｊ．Ｙｕ、Ｘ．Ｚｈｏｕ、Ｍ．−Ｆ．Ｈｕａｎｇ、Ｄ．Ｑｉａｎ、Ｐ．Ｎ．Ｊｉ、Ｔ．Ｗａｎｇ、およびＰ．Ｍａｇｉｌｌによって、Ｏｐｔｉｃｓ  Ｅｘｐｒｅｓｓ，  １７，  １７９２８−１７９３３  （２００９）に示された、「４００Ｇｂ／ｓ  （４  χ  １００Ｇｂ／ｓ）  ｏｒｔｈｏｇｏｎａｌ  ＰＤＭ−ＲＺ−ＱＰＳＫ  ＤＷＤＭ  Ｓｉｇｎａｌ  Ｔｒａｎｓｍｉｓｓｉｏｎ  ｏｖｅｒ  １０４０ｋｍ  ＳＭＦ−２８」、Ｄ．Ｈｉｌｌｅｒｋｕｓｓ等によって、ＯＦＣ  ２０１０：  ＰＤＰＣ１に示された、「Ｓｉｎｇｌｅ  ｓｏｕｒｃｅ  ｏｐｔｉｃａｌ  ＯＦＤＭ  ｔｒａｎｓｍｉｔｔｅｒ  ａｎｄ  Ｏｐｔｉｃａｌ  ＦＦＴ  ｒｅｃｅｉｖｅｒ  ｄｅｍｏｎｓｔｒａｔｅｄ  ａｔ  ｌｉｎｅ  ｒａｔｅｓ  ｏｆ  ５．４  ａｎｄ  １０．８Ｔｂｉｔ／ｓ」、ならびに、Ｊ．Ｙｕによって、Ｅｌｅｃｔｒｏｎ．Ｌｅｔｔ，Ｖｏｌ．４６，Ｎｏ．１  １，２０１０：７７５−７７７に示された、「１．２  Ｔｂｉｔ／ｓ  ｏｒｔｈｏｇｏｎａｌ  ＰＤＭ−ＲＺ−ＱＰＳＫ  ＤＷＤＭ  ｓｉｇｎａｌ  ｔｒａｎｓｍｉｓｓｉｏｎ  ｏｖｅｒ  １０４０  ｋｍ  ＳＭＦ−２８」に記載されるように、１Ｔｂ／ｓ以上の伝送速度が、関心の高い研究テーマとなっている。
【０００３】
現在、光信号生成のためのチャネルあたりの最も高いビットレートは、Ｄ．Ｈｉｌｌｅｒｋｕｓｓ等によってＰｒｏｃ．ＯＦＣ  ２０１０，ＰＤＰＣ１において示された「Ｓｉｎｇｌｅ  ｓｏｕｒｃｅ  ｏｐｔｉｃａｌ  ＯＦＤＭ  ｔｒａｎｓｍｉｔｔｅｒ  ａｎｄ  Ｏｐｔｉｃａｌ  ＦＦＴ  ｒｅｃｅｉｖｅｒ  ｄｅｍｏｎｓｔｒａｔｅｄ  ａｔ  ｌｉｎｅ  ｒａｔｅｓ  ｏｆ  ５．４  ａｎｄ  １０．８  Ｔｂｉｔ／ｓ」に記載された、コム発生またはスーパーコンティニューム技術による、５．４Ｔｂ／ｓのＯＦＤＭ偏波多重直交位相シフトキー（ＰＭ−ＱＰＳＫ）および１０．８ＴｂのＯＦＤＭ偏波多重１６シンボル配置直交振幅変調（ＰＭ−１６ＱＡＭ）である。しかし、スーパーコンティニューム技術によるＯＦＤＭ光信号生成の限定された光信号対雑音比（光ＳＮＲ）によって、伝送距離は、極めて限定される。
【０００４】
Ｊ．Ｙｕ、Ｘ．Ｚｈｏｕ、Ｍ．−Ｆ．Ｈｕａｎｇ、Ｄ．Ｑｉａｎ、Ｐ．Ｎ．Ｊｉ、Ｔ．ＷａｎｇおよびＰ．Ｍａｇｉｌｌによって、Ｏｐｔ  Ｅｘｐｒｅｓｓ．，１７，１７９２８−１７９３３  （２００９）に示された、「４００Ｇｂ／ｓ  （４  χ  １００  Ｇｂ／ｓ）  ｏｒｔｈｏｇｏｎａｌ  ＰＤＭ−ＲＺ−ＱＰＳＫ  ＤＷＤＭ  Ｓｉｇｎａｌ  Ｔｒａｎｓｍｉｓｓｉｏｎ  ｏｖｅｒ  １０４０  ｋｍ  ＳＭＦ−２８」、Ｊ．Ｙｕによって、Ｅｌｅｃｔｒｏｎ．Ｌｅｔｔ，４６，７７５−７７７  （２０１０）に示された、「１．２  Ｔｂｉｔ／ｓ  ｏｒｔｈｏｇｏｎａｌ  ＰＤＭ−ＲＺ−ＱＰＳＫ  ＤＷＤＭ  ｓｉｇｎａｌ  ｔｒａｎｓｍｉｓｓｉｏｎ  ｏｖｅｒ  １０４０  ｋｍ  ＳＭＦ−２８」、Ｔ．Ｈｅａｌｙ等によって、Ｏｐｔ．Ｅｘｐｒｅｓｓ．，１５，２９８１−２９８６  （２００７）に示された、「Ｍｕｌｔｉ−ｗａｖｅｌｅｎｇｔｈ  ｓｏｕｒｃｅ  ｕｓｉｎｇ  ｌｏｗ  ｄｒｉｖｅ−ｖｏｌｔａｇｅ  ａｍｐｌｉｔｕｄｅ  ｍｏｄｕｌａｔｏｒｓ  ｆｏｒ  ｏｐｔｉｃａｌ  ｃｏｍｍｕｎｉｃａｔｉｏｎｓ」、Ｔ．Ｙａｍａｍｏｔｏ等によって、Ｊ．ｏｆ  Ｌｉｇｈｔｗａｖｅ．  Ｔｅｃｈｎｏｌ．  ，  Ｖｏｌ．  ２７，  Ｎｏ．  １９，  ２００９：  ４２９７−４３０５に示された、「Ｍｕｌｔｉｃａｒｒｉｅｒ  ｌｉｇｈｔ  ｓｏｕｒｃｅ  ｗｉｔｈ  ｆｌａｔｔｅｎｅｄ  ｓｐｅｃｔｒｕｍ  ｕｓｉｎｇ  ｐｈａｓｅ  ｍｏｄｕｌａｔｏｒｓ  ａｎｄ  ｄｉｓｐｅｒｓｉｏｎ  ｍｅｄｉｕｍ」、ならびに、Ｔ．Ｙａｍａｍｏｔｏ等によって、Ｊ．ｏｆ  Ｌｉｇｈｔｗａｖｅ．Ｔｅｃｈｎｏｌ．，Ｖｏｌ．２７，Ｎｏ．１９，  ２００９：４２９７−４３０５に示された、「ｍｕｌｔｉｃａｒｒｉｅｒ  ｌｉｇｈｔ  ｓｏｕｒｃｅ  ｗｉｔｈ  ｆｌａｔｔｅｎｅｄ  ｓｐｅｃｔｒｕｍ  ｕｓｉｎｇ  ｐｈａｓｅ  ｍｏｄｕｌａｔｏｒｓ  ａｎｄ  ｄｉｓｐｅｒｓｉｏｎ  ｍｅｄｉｕｍ」に記載されるように、カスケード位相変調および強度変調器の使用により、マルチ光学サブキャリアを生成できる。
【０００５】
Ｊ．Ｙｕによって、Ｅｌｅｃｔｒｏｎ．Ｌｅｔｔ，４６，７７５−７７７  （２０１０）に示された、「１．２Ｔｂｉｔ／ｓ  ｏｒｔｈｏｇｏｎａｌ  ＰＤＭ−ＲＺ−ＱＰＳＫ  ＤＷＤＭ  ｓｉｇｎａｌ  ｔｒａｎｓｍｉｓｓｉｏｎ  ｏｖｅｒ  １０４０  ｋｍ  ＳＭＦ−２８」に記載されるように、位相変調器における無線周波数（ＲＦ）信号の強度が限定されているため、１２のサブキャリア（２５ＧＨｚのスペーシング）のみが生成され、平坦なスペクトラム強度の約３００ＧＨｚの帯域をカバーする。
【０００６】
再循環周波数シフター（ＲＦＳ）を用いてサブキャリアを生成する方式は、二つの位相変調器のカスケード接続の周波数シフトに基づいて、１１２のサブキャリア（またはピーク）を生成するために使用されている。しかし、ＲＦＳにより生成された複数のサブキャリアのトーン対雑音比率は、約２０〜２５ｄＢしかないため、長距離の高速信号伝送には十分でない。
【０００７】
複数のサブキャリアを生成するために用いられる位相および強度変調器のカスケード接続は、生成されたサブキャリアが長距離伝送にも用いられるため、平坦な振幅の高いトーン対雑音比率を実現できる。しかし、平坦な振幅を得るために、強度変調器において大きな損失がある（通常、１０ｄＢを超える損失が必要となる）。
【発明の概要】
【発明が解決しようとする課題】
【０００８】
本発明は、異なる無線周波数源により駆動される少なくとも二つの位相変調器をカスケード接続することにより、小さな強度損失で平坦な振幅を生成する方法およびシステムを指向する。
【課題を解決するための手段】
【０００９】
これらの方法およびシステムにおいて、光波は、少なくとも半波長電圧の数倍大きい振幅である第１の固定周波数の無線周波数クロック信号により駆動される半波長電圧を有する位相変調器によって変調される。そして、光波は、少なくとも半波長電圧の数倍大きい振幅である他の固定無線周波数クロック信号により駆動されるカスケード接続された位相変調器により変調される。第１の固定周波数は、第２の固定周波数と等しくてもよく、同調して駆動されてもよい。
【００１０】
本発明の他の態様は、これらの方法およびシステムは、第１または第２の固定周波数信号の２倍に等しい第３の固定無線周波数信号により駆動されるカスケード接続された第３の位相変調器により光波を変調することを含む。第３のカスケード接続された位相変調器は、他の位相変調器と同調して駆動される必要はない。さらに、カスケード接続された変調器の順序は、厳密には定められていない。
【００１１】
改良による追加の態様および利点は、好ましい実施形態の図面および明細書の記載から明らかである。
【図面の簡単な説明】
【００１２】
本発明の実施形態は、添付した図面により示される。
【図１】マルチサブキャリア生成システムを示す図である。
【図２ａ】位相変調器１を経た光スペクトル（分解能０．０２ｎｍ）
【図２ｂ】位相変調器２を経た光スペクトル（分解能０．０２ｎｍ）
【図２ｃ】光結合器２を経た光スペクトル（分解能０．０２ｎｍ）
【図３ａ】２５ＧＨｚの信号により駆動される一つの位相変調器を経た光スペクトル
【図３ｂ】同調したクロック（０度シフト）をそれぞれ備える２５ＧＨｚおよび１２．５ＧＨｚの信号により駆動されるカスケード接続された位相変調器を経た光スペクトル
【図３ｃ】同調していないクロック（２５度シフト）をそれぞれ備える２５ＧＨｚおよび１２．５ＧＨｚの信号により駆動されるカスケード接続された位相変調器を経た光スペクトル
【図３ｄ】同調していないクロック（５０度シフト）をそれぞれ備える２５ＧＨｚおよび１２．５ＧＨｚの信号により駆動されるカスケード接続された位相変調器を経た光スペクトル
【発明を実施するための形態】
【００１３】
図１は、異なる無線周波数（ＲＦ）源により駆動される位相変調器をカスケード接続することによって複数のサブキャリアを生成する原理を示す。ＥＣＬは、外部のキャビティレーザー、ＰＭ１は、第１の位相変調器、ＥＡは、電気的増幅器である。
【００１４】
Ｙ．Ｍａ、Ｑ．Ｙａｎｇ、Ｙ．Ｔａｎｇ、Ｓ．ＣｈｅｎおよびＷ．Ｓｈｉｅｈによって、Ｐｒｏｃ．ＯＦＣ，ｐａｐｅｒ  ＰＤＰＣ１  （２００９）に示された、「１−Ｔｂ／ｓ  ｐｅｒ  ｃｈａｎｎｅｌ  ｃｏｈｅｒｅｎｔ  ｏｐｔｉｃａｌ  ＯＦＤＭ  ｔｒａｎｓｍｉｓｓｉｏｎ  ｗｉｔｈ  ｓｕｂｗａｖｅｌｅｎｇｔｈ  ｂａｎｄｗｉｄｔｈ  ａｃｃｅｓｓ」、Ｊ．Ｙｕ、Ｘ．Ｚｈｏｕ、Ｍ．−Ｆ．Ｈｕａｎｇ、Ｄ．Ｑｉａｎ、Ｐ．Ｎ．Ｊｉ、Ｔ．ＷａｎｇおよびＰ．Ｍａｇｉｌｌによって、Ｏｐｔｉｃｓ  Ｅｘｐｒｅｓｓ，１７，１７９２８−１７９３３  （２００９）に示された、「４００Ｇｂ／ｓ  （４  ｘ  １００Ｇｂ／ｓ）  ｏｒｔｈｏｇｏｎａｌ  ＰＤＭ−ＲＺ−ＱＰＳＫ  ＤＷＤＭ  Ｓｉｇｎａｌ  Ｔｒａｎｓｍｉｓｓｉｏｎ  ｏｖｅｒ  １  ０４０ｋｍ  ＳＭＦ−２８」、ならびに、Ｊ．Ｙｕによって、Ｅｌｅｃｔｒｏｎ．Ｌｅｔｔ．，Ｖｏｌ．４６，Ｎｏ．１  １，２０１０：７７５−７７７に示された、「１．２Ｔｂｉｔ／ｓ  ｏｒｔｈｏｇｏｎａｌ  ＰＤＭ−ＲＺ−ＱＰＳＫ  ＤＷＤＭ  ｓｉｇｎａｌ  ｔｒａｎｓｍｉｓｓｉｏｎ  ｏｖｅｒ  １０４０  ｋｍ  ＳＭＦ−２８」に記載される従来の方式にくらべて、二つのカスケード接続された位相変調器が採用される。一つの狭い線幅のレーザーから生成された連続波（ＣＷ）の光波は、異なるＲＦクロック信号により駆動される二つのカスケード接続された位相変調器によって変調される。位相変調器は固定周波数ｆのＲＦクロック信号によって駆動される。高出力ブースター電気的増幅器を経たＲＦ信号の振幅は、トーン対雑音比率の高い複数のサブキャリアを生成するために、第１の位相変調器（ＰＭ１）の半波長電圧の数倍である。
【００１５】
図２ａは、ＰＭ１を経た光スペクトルを示す。図２ａにおいて、ＲＦクロック周波数は２５ＧＨｚ、ブースター電気的増幅器を経たＲＦのピーク間の電圧は１７Ｖ、位相変調器の半波長電圧は４Ｖである。より多くのサブキャリアを生成するために、周波数ｆによって駆動されるより多くの位相変調器がカスケード接続されうる。図１において、第２の位相変調器（ＰＭ２）がカスケード接続される。
【００１６】
図２ｂは、ＰＭ２を経た光スペクトルを示す。ＲＦクロック周波数は２５ＧＨｚ、ブースター電気的増幅器を経たＲＦのピーク間の電圧は１７Ｖ、位相変調器の半波長電圧は４Ｖである。平坦な振幅のサブキャリアを得るために、第３の位相変調器（ＰＭ３）がカスケード接続される。この位相変調器は、固定周波数２ｆの低レベルのＲＦ信号によって駆動される。たとえば、第３の位相変調器を駆動するＲＦ信号は、位相変調器の半波長電圧と同じでもよい。ＰＭ１、ＰＭ２およびＰＭ３は、カスケード接続においていかなる順序で配置されてもよい。
【００１７】
図２ｃは、ＰＭ３を経た光スペクトルを示す。ＰＭ１、ＰＭ２およびＰＭ３における電気信号の位相関係は、サブキャリアの全体的な平坦さに影響するように調整されてもよい。ＰＭ１およびＰＭ２は、好ましくは同調して駆動され、ＰＭ３は、完全に同調して駆動される必要はない。
【００１８】
図３ａ〜図３ｄは、シミューレーションの結果を示す。図３ａは、３．５Ｖｐｉ（半波長電圧）の２５ＧＨｚのクロック源により駆動される一つの位相変調器のみが採用された場合の、光スペクトルを示す。
【００１９】
図３ｂは、同調したクロックを備えた１Ｖｐｉの１２．５ＧＨｚのクロック源により駆動される追加の位相変調器が採用された場合の、光スペクトルを示す。
【００２０】
図３ｃは、同調していないクロック（２５度シフト）を備えたＶｐｉの１２．５ＧＨｚのクロック源により駆動される追加の位相変調器が採用された場合の、光スペクトルを示す。
【００２１】
図３ｄは、同調していないクロック（５０度シフト）を備えたＶｐｉの１２．５ＧＨｚのクロック源により駆動される追加の位相変調器が採用された場合の、光スペクトルを示す。図３ｄに示すサブキャリアは、図３ａ〜図３ｃに示サブキャリアにくらべて、平坦な振幅を有する。
【００２２】
本発明の一態様において、提供される一つ以上の要素は計算機の形態でもよい。ここで用いられる「計算機」とは、プロセッサーを含む汎用の計算機を指す。プロセッサーは、一般に、たとえばマイクロプロセッサーのような中央処理装置（ＣＰＵ）を含む。ＣＰＵは、一般に、計算および論理演算処理を行う演算装置（ＡＬＵ）と、メモリーのようなコンピューター読み取り可能な媒体から指示（たとえば、命令コード）を取得、解読および実行し、必要に応じてＡＬＵを呼び出す制御装置と、を含む。
【００２３】
ここで用いられる「メモリー」とは、一般に、チップまたはドライブ形態のようなデータを記憶可能な一つ以上の装置または媒体を指す。メモリーは、さらなる限定的でない例示として、一つ以上のランダムアクセスメモリー（ＲＡＭ）、リードオンリーメモリー（ＲＯＭ）、プログラム可能リードオンリーメモリー（ＰＲＯＭ）、消去可能プログラム可能リードオンリーメモリー（ＥＰＲＯＭ）、または電気的消去可能プログラム可能リードオンリーメモリー（ＥＥＰＲＯＭ）のチップの形態でもよい。メモリーは、さらなる限定的でない例示として、一つ以上のソリッドステートメモリー、光学または磁気ドライブの形態でもよい。メモリーは、プロセッサーを含む集積回路の内部または外部に設けられてもよい。メモリーは、たとえば、プロセッサーによって処理可能なコードまたは命令群を記憶してもよい。本発明の一態様において、提供される一つ以上の要素は、メモリーに記憶される計算機が実行可能なプログラムまたはアプリケーションのような、一つ以上の計算機を用いて実行されるコードの形態をとってもよい。
【００２４】
本発明の実施形態が開示され記載されたが、本発明の思想から逸脱することなく、さらに多くの修正が可能であることは、当業者にとって明らかである。本発明は、一例として、ここに記載された信号処理は、ソフトウェアまたはハードウェアによって実行されてもよい。したがって、本発明は、下記の特許請求の範囲に示された思想以外には制限されない。
【図１】
0005739582.tif 000002
【図２ａ】
0005739582.tif 000003
【図２ｂ】
0005739582.tif 000004
【図２ｃ】
0005739582.tif 000005
【図３ａ】
0005739582.tif 000006
【図３ｂ】
0005739582.tif 000007
【図３ｃ】
0005739582.tif 000008
【図３ｄ】
0005739582.tif 000009